(57)【要約】【課題】  フランジの表面の汚染を防止し、ホースを確実にニップルに締結することができるホースの締結構造を得る。【解決手段】  ホース２０をニップル１０に挿入し、ホースの外周をホースクランプ３０で緊締し締結するホースの締結構造において、ホース２０は、ゴム、熱可塑性エラストマーまたは軟質合成樹脂で形成され、ニップル１０は、ホースを挿入する筒状部１１と、ニップルを取付部材に固定するフランジ１３から構成されるとともに、ニップル１０は、硬質合成樹脂で形成され、ホースクランプ３０の締結部分より先端側のホース内面とニップルの筒状部１１の外面との間に空間を設け、空間２４と連通する隙間４０をニップルのフランジ１３とホース先端面の間に設けることを特徴とするホースの締結構造である。【選択図】  図１
2006234133.tif 000002
【特許請求の範囲】
【請求項１】
ホースをニップルに挿入し、該ホースの外周をホースクランプで緊締し締結するホースの締結構造において、
上記ホースは、ゴム、熱可塑性エラストマーまたは軟質合成樹脂で形成され、上記ニップルは、上記ホースを挿入する筒状部と、上記ニップルを取付部材に固定するフランジから構成されるとともに、上記ニップルは、硬質合成樹脂で形成され、
上記ホースクランプの締結部分より先端側のホース内面と上記ニップルの筒状部の外面との間に空間を設け、該空間と連通する隙間を上記ニップルのフランジとホース先端面の間に設けることを特徴とするホースの締結構造。
【請求項２】
上記空間は、上記ホースクランプの締結部分より先端側のホース内面の全周または一部が凹部となり形成された請求項１に記載のホースの締結構造。
【請求項３】
上記空間は、上記ニップルの筒状部の外面に設けられ、上記フランジとの連続部分付近から上記ホースクランプの締結部分まで長手方向に伸びる複数の凹溝により形成された請求項１に記載のホースの締結構造。
【請求項４】
上記空間は、上記ホース先端の内面が外周先端から内周面方向に斜面状に切り欠かれて形成された請求項１に記載のホースの締結構造。
【請求項５】
上記空間は、上記ホース先端の上記ホースクランプの緊締位置付近まで、全周が切り欠いて、または一部が複数の長手方向に短冊状に切り欠いて形成された請求項１に記載のホースの締結構造。
【請求項６】
上記ニップルのフランジとホースの間に設けられ、上記空間と連通する隙間は、上記ニップルの上記筒状部との連続部分付近のフランジの上面に複数の凸部を形成し、該凸部に上記ホースの先端が当接することによりホースの先端とフランジの間に形成される請求項１乃至請求項４のいずれかに記載のホースの締結構造。
【請求項７】
上記ニップルのフランジとホースの間に設けられ、上記空間と連通する隙間は、上記ホースの先端に複数の凸状部を形成し、上記ホースの先端の凸状部が上記ニップルのフランジの上面に当接して、上記凸状部以外のホースの先端部分とフランジとの間で形成される請求項１乃至請求項４のいずれかに記載のホースの締結構造。
【請求項８】
上記ニップルのフランジとホースの間に設けられ、上記空間と連通する隙間は、上記ホースの先端に複数の凹部を形成し、上記ホースの先端を上記ニップルのフランジの上面に当接して、上記凹部の部分とフランジとの間で形成される請求項１乃至請求項４のいずれかに記載のホースの締結構造。
【請求項９】
上記ホースは、上記ホースクランプの締め付け部分においてホースの外周に、上記ホースクランプを挟むように先端側と中心側にリブを形成した請求項１乃至請求項８のいずれかに記載のホースの締結構造。
【請求項１０】
上記ホースは、自動車用燃料タンクに燃料を供給するフィラーホースであり、上記ニップルは、自動車用燃料タンクにフィラーホースを取付けるニップルである請求項１乃至請求項９のいずれかに記載のホースの締結構造。
【発明の詳細な説明】
【技術分野】
【０００１】
本発明は、ホースをニップルに挿入し、そのホースの外周をホースクランプで締結する場合におけるホースの締結構造に関するものである。
【背景技術】
【０００２】
合成ゴムや熱可塑性エラストマーで形成されたホースを、硬質合成樹脂で形成されたニップルに挿入し、そのホースの外周を帯状のホースクランプで、締め付けて、締結することが通常行なわれている。このニップルは、そのニップルが取付けられるタンク等が形成される材料により、その材料は選択されてきた。
例えば、従来、自動車用燃料タンクの構造としては、金属製のものが用いられていたが、近年車両の軽量化や、錆が発生しないこと、所望の形状に成形しやすいことなどによって熱可塑性合成樹脂製のものが用いられるようになってきた。そのため合成樹脂製の燃料タンクにニップルを取り付ける場合は、溶着や接着が容易であり、ホースクランプで締め付けることができる強度を有しているため、硬質合成樹脂製のニップルが使用されている。
【０００３】
即ち、図５に示すように、燃料タンク１内へフィラーホース１２０を使用して燃料を注入する場合は、まず、ニップル１１０のフランジ１１３を燃料タンク１の外壁に溶着または接着し、そのニップル１１０の筒状部１１１にこのフィラーホース１２０を挿入する。そして、フィラーホース１２０の外周を帯状のホースクランプ３０で締め付けて固定する（例えば、特許文献１参照。）。
このとき、ニップル１１０の筒状部１１１の先端部１１２には、外周面に凸条が設けてホースの抜け止めを図ってもよい。
【０００４】
このホースを通して合成樹脂に対して透過性のある液体や気体を通過させる場合は、このニップル１１０の筒状部１１１から、その液体や気体が透過する場合がある。
上記のように、燃料タンク１にガソリン等の燃料を注入する場合は、ガソリンの蒸気がニップル１１０の筒状部１１１を透過する。フィラーホース１２０は、ガソリン等の燃料を透過しない材料で形成されているため、透過したガソリンの蒸気の蒸気はフィラーホース１２０とニップル１１０の筒状部１１１の間に溜まることとなる。
【０００５】
フィラーホース１２０は、ホースクランプ３０で締め付けられているため、ホースクランプ３０よりも上部（ホースの中央方向）では、透過したガソリンの蒸気はフィラーホース１２０の先端方向には流出せず、フィラーホース１２０とニップル１１０の筒状部１１１の隙間を通り、フィラーホース１２０中央部に還流することができる。
【０００６】
ホースクランプ３０よりも先端方向では、フィラーホース１２０の先端はニップル１１０のフランジ１１３に密着しているため、透過したガソリンの蒸気は、フィラーホース１２０とニップル１１０の筒状部１１１の隙間に溜まり、フィラーホース１２０中に含まれる可塑剤や他の配合剤を抽出する。その後、抽出物がフランジ１１３の表面に流出することとなる。特に、ガソリン等が高温になるとニップル１１０の筒状部１１１が膨潤し、ガソリンが透過しやすくなる。  
【特許文献１】特開平８−２３３１７９号公報
【発明の開示】
【発明が解決しようとする課題】
【０００７】
この流出したフィラーホース１２０中の可塑剤や他の配合剤は、多くは着色されており、流出するとフランジ１１３や燃料タンク１の表面を汚染し、外観を損ねることとなる。
このため、フランジ１１３や燃料タンク１の表面の汚染を防止し、ホース１２０を確実にニップルに締結することができるホースの締結構造が必要とされていた。
【課題を解決するための手段】
【０００８】
上記課題を解決するために請求項１の本発明は、ホースをニップルに挿入し、ホースの外周をホースクランプで緊締し締結するホースの締結構造において、
ホースは、ゴム、熱可塑性エラストマーまたは軟質合成樹脂で形成され、ニップルは、ホースを挿入する筒状部と、ニップルを取付部材に固定するフランジから構成されるとともに、ニップルは、硬質合成樹脂で形成され、ホースクランプの締結部分より先端側のホース内面とニップルの筒状部の外面との間に空間を設け、空間と連通する隙間をニップルのフランジとホース先端面の間に設けることを特徴とするホースの締結構造である。
【０００９】
請求項１の本発明では、ホースは、ゴム、熱可塑性エラストマーまたは軟質合成樹脂で形成されるため、柔軟性を有し、自動車の振動等を吸収することができるとともに、ホースの取付け位置に応じて自由に形状を設定し、製造することができる。
ニップルは、ホースを挿入する筒状部と、ニップルを取付部材に固定するフランジから構成されるとともに、ニップルは、硬質合成樹脂で形成されるため、フランジと取付部材を確実に固着して、フランジの固着部分から燃料等の液体や気体の漏洩を防止することができる。筒状部が硬質合成樹脂で形成されるため、ホースの挿入後にホースクランプで締め付けることができる。
【００１０】
ホースクランプの締結部分より先端側のホース内面とニップルの筒状部の外面との間に空間を設けることにより、ホース内面と筒状部の外面との間の空間に空気を流通させることができ、ニップルの筒状部を透過したガソリンの蒸気等がその空間に溜まることがなく、外部に放出されるため、ホースから可塑剤や配合剤を抽出することがない。
【００１１】
ホース内面と筒状部の外面との間の空間と連通する隙間をニップルのフランジとホース先端面の間に設けることにより、ニップルの筒状部を透過したガソリンの蒸気を、その空間を経由して、フランジとホース先端面の間の隙間から外部へ放出することができるため、ホース内面と筒状部の外面との間の空間にニップルの筒状部を透過したガソリンの蒸気等が溜まることがない。
そのため、ニップルの筒状部を透過したガソリンの蒸気等による抽出物がフランジの表面に流出することがなく、フランジの表面を汚染することがない。
【００１２】
請求項２の本発明は、上記ホースクランプの締結部分より先端側のホース内面とニップルの筒状部の外面との間の空間は、ホースクランプの締結部分より先端側のホース内面の全周または一部が凹部となり形成されたホースの締結構造である。
【００１３】
請求項２の本発明では、ホースクランプの締結部分より先端側のホース内面とニップルの筒状部の外面との間の空間は、ホースクランプの締結部分より先端側のホース内面の全周または一部が凹部となり形成されている。この空間は、ホースの先端の内面を切り取るのみで形成することができ、形成が容易である。また、この空間はホースの先端の端面とフランジの間の隙間と直接連通させることができ、ニップルの筒状部を透過したガソリンの蒸気等をすばやく外部に放出させることができる。
【００１４】
請求項３の本発明は、上記ホースクランプの締結部分より先端側のホース内面とニップルの筒状部の外面との間の空間は、ニップルの筒状部の外面に設けられ、フランジとの連続部分付近からホースクランプの締結部分まで長手方向に伸びる複数の凹溝により形成されたホースの締結構造である。
【００１５】
請求項３の本発明では、上記空間は、ニップルの筒状部の外面に設けられ、フランジとの連続部分付近からホースクランプの締結部分まで長手方向に伸びる複数の凹溝により形成さている。このため、ホースを筒状部に挿入するのみで筒状部とホース内面の間に空間を形成できるとともに、ニップルを射出成形等で形成するときに同時に複数の凹溝を形成することができ、製造が容易である。
【００１６】
請求項４の本発明は、上記ホースクランプの締結部分より先端側のホース内面とニップルの筒状部の外面との間の空間は、ホース先端の内面が外周先端から内周面方向に斜面状に切り欠かれて形成されたホースの締結構造である。
【００１７】
請求項４の本発明では、上記空間は、ホース先端の内面が外周先端から内周面方向に斜面状に切り欠かれて形成されたため、ホースの先端をテーパー状に切り取るのみで空間を形成することができ、加工が容易である。
【００１８】
請求項５の本発明は、上記ホースクランプの締結部分より先端側のホース内面とニップルの筒状部の外面との間の空間は、ホース先端のホースクランプの緊締位置付近まで、全周が切り欠いて、または一部が複数の長手方向に短冊状に切り欠いて形成されたホースの締結構造である。
【００１９】
請求項５の本発明では、空間は、ホース先端のホースクランプの緊締位置付近まで、全周が切り欠いて、または一部が複数の長手方向に短冊状に切り欠いて形成されているため、ホースクランプが締め付けられる部分より先端側のホースの全部または一部を無くすことができ、筒状部を透過したガソリンの蒸気等を直ちに外部へ放出することができる。
【００２０】
請求項６の本発明は、ニップルのフランジとホース先端面の間に設けられ、上記空間と連通する隙間は、ニップルの上記筒状部との連続部分付近のフランジの上面に複数の凸部を形成し、凸部にホースの先端が当接することによりホースの先端とフランジの間に形成されるホースの締結構造である。
【００２１】
請求項６の本発明では、ニップルのフランジとホース先端面の間に設けられ、上記空間と連通する隙間は、ニップルの筒状部との連続部分付近のフランジの上面に複数の凸部を形成し、凸部にホースの先端が当接することにより形成される。このため、ホースをニップルに挿入するのみで、ホースの先端とフランジの間に形成することができるとともに、この凸部はニップルを射出成形等で形成するときに同時に形成することができ、製造が容易である。
【００２２】
請求項７の本発明は、ニップルのフランジとホース間に設けられ、上記空間と連通する隙間は、ホースの先端に複数の凸状部を形成し、ホースの先端の凸状部がニップルのフランジの上面に当接して、凸状部以外のホースの先端部分とフランジとの間で形成されるホースの締結構造である。
【００２３】
請求項７の本発明では、上記空間と連通する隙間は、ホースの先端に複数の凸状部を形成し、ホースの先端の凸状部がニップルのフランジの上面に当接して、凸状部以外のホースの先端部分とフランジとの間で形成されるものである。このため、ホース先端に凸状部を形成するのみで上記空間と連通する隙間を形成することができる。また、ホースを凸条部がフランジに当接するまで挿入すれば、隙間を形成することができ、ホースの装着が容易である。
【００２４】
請求項８の本発明は、ニップルのフランジとホース間に設けられ、上記空間と連通する隙間は、ホースの先端に複数の凹部を形成し、ホースの先端をニップルのフランジの上面に当接して、凹部の部分とフランジとの間で形成されるホースの締結構造である。
【００２５】
請求項８の本発明では、空間と連通する隙間は、ホースの先端に複数の凹部を形成し、ホースの先端をニップルのフランジの上面に当接して、凹部の部分とフランジとの間で形成される。このため、ホース先端に凹部を形成するのみで上記空間と連通する隙間を形成することができる。また、ホースの凹部以外の先端がフランジに当接するまで挿入すれば、隙間を形成することができ、ホースの装着が容易である。
【００２６】
請求項９の本発明は、ホースは、ホースクランプの締め付け部分においてホースの外周に、ホースクランプを挟むように先端側と中心側にリブを形成したホースの締結構造である。
【００２７】
請求項９の本発明では、ホースクランプの締め付け部分においてホースの外周に、ホースクランプを挟むように先端側と中心側にリブを形成した。このため、ホースクランプを装着し、締め付ける部分が明確となり、ホースクランプの位置がずれなくて、確実にホースを締め付けることができるとともに、ニップルの筒状部とホース内面の間に設ける空間をホースクランプが潰すことがなく、その空間のすぐ上部を締め付けて、ガソリン等がニップルの筒状部とホース内面に溜まることを防止することができる。
【００２８】
請求項１０の本発明は、ホースは、自動車用燃料タンクに燃料を供給するフィラーホースであり、ニップルは、自動車用燃料タンクにフィラーホースを取付けるニップルであるホースの締結構造である。
【００２９】
請求項１０の本発明では、ホースは、自動車用燃料タンクに燃料を供給するフィラーホースであり、ニップルは、自動車用燃料タンクにフィラーホースを取付けるニップルである。このため、ガソリンの蒸気がニップルの筒状部を通過して透過する場合でも、その蒸気がニップルとフィラーホースの間に溜まることがなく、フィラーホースの可塑剤等を抽出することがない。
【発明の効果】
【００３０】
ホースクランプの締結部分より先端側のホース内面とニップルの筒状部の外面との間に空間を設け、その空間と連通する隙間をニップルのフランジとホース先端面の間に設けることにより、その空間を経由して、フランジとホース先端面の間の隙間から、ニップルの筒状部を透過したガソリンの蒸気等を外部へ逃がすことができるため、ホース内面と筒状部の外面との間の空間にニップルの筒状部を透過したガソリンの蒸気等が溜まることがない。
そのため、ニップルの筒状部を透過したガソリンの蒸気等がホース内の可塑剤等を抽出することがなく、フランジの表面に流出することがなく、フランジや燃料タンク等の表面を汚染することがない。
【発明を実施するための最良の形態】
【００３１】
本発明は、ゴム、熱可塑性エラストマーまたは軟質合成樹脂で形成されたホースを、ホースを挿入する筒状部と、取付部材に固定するフランジから構成される硬質合成樹脂で形成されたニップルに締結するホースの締結構造に関するものである。
以下、本発明の実施の形態を、自動車用燃料タンクに固着されたニップルに、燃料タンクに燃料を注入するフィラーホースを例にとり、図１〜図４に基づき説明する。
【００３２】
図１は、本発明の第１の実施の形態を示す断面図である。
燃料タンク１の上面にニップル１０が固着されている。ニップル１０は、円盤状のフランジ１３と円筒状の筒状部１１から一体に形成されている。フランジ１３は、下面が燃料タンク１の上面と熱溶着または接着により強固に固着されている。フランジ１３の中央部は、筒状部１１の内径と同じ大きさで、燃料タンク１に設けられた燃料注入用の孔と同じ大きさの孔が設けられている。
【００３３】
筒状部１１はフランジ１３の上面側にフランジ１３と一体に円筒状に形成される。筒状部１１の先端部１２には、外周の全周に亘り断面が半円形の突起が形成されている。この突起は、後述するフィラーホース２０が挿入されたときに、フィラーホース２０の内面に食い込んで、フィラーホース２０が筒状部１１から抜けることを防止するとともに、フィラーホース２０と筒状部１１の間のシール性を向上させている。
【００３４】
フィラーホース２０は、燃料タンク１に燃料を注入するホースで、車体の外面に設けられた燃料注入口から燃料タンク１までを連結し、燃料タンク１に燃料を注入する。フィラーホース２０は、中央部分は車体の振動を吸収するために蛇腹状に形成されることもあるが、両端の部分は円筒状に形成されている。
図１は、フィラーホース２０の先端をニップル１０に取付けた部分の断面形状を示すものである。
【００３５】
フィラーホース２０は、上記の通りニップル１０の筒状部１１に挿入され、その外周をホースクランプ３０で締め付けて、締結される。ホースクランプ３０で締め付けられるため、フィラーホース２０が筒状部１１から抜けることを防止することができるとともに、フィラーホース２０と筒状部１１の間のシール性を向上させている。
フィラーホース２０の先端付近の外周には、ホースクランプ３０の締め付け部分において、ホースクランプ３０を挟むように先端側と中心側に、２本のクランプ用リブ２２、２３が形成されている。クランプ用リブ２２とクランプ用リブ２３の間隔は、ホースクランプ３０の幅よりも若干大きく設けられており、その間には、ホースクランプ３０が装着される。
【００３６】
クランプ用リブ２２、２３を形成したため、ホースクランプ３０を装着する部分が明確となり、確実にフィラーホース２０を締め付けることができるとともに、ホースクランプ３０がずれることがなく、後述するニップルの筒状部１１とホース内面の間に設ける空間をホースクランプ３０が潰すことがなく、その空間のすぐ上部を締め付けて、フィラーホース２０が抜けることを防止するとともに、ガソリン等がニップル１０の筒状部１１とフィラーホース２０の間から漏洩することを防止することができる。
【００３７】
フィラーホース２０の先端において、ホースクランプ３０の締結部分より先端側のフィラーホース２０の内面は、切り欠かれて、肉厚が薄く、先端凹部２４を形成している。この先端凹部２４は、フィラーホース２０の内面の全周に亘り設けられてもよく、あるいは、内面の複数の部分が部分的に切り欠かれて形成してもよい。先端凹部２４の形成は、フィラーホース２０が型成形で形成されるときは、金型に先端凹部２４を形成する凸部を設けて、フィラーホース２０全体を成形するときに同時に形成することができる。フィラーホース２０を押出成形で形成するときは、押出成形後にフィラーホース２０の先端部の内面を切除して形成してもよい。
【００３８】
フィラーホース２０の先端面と、ニップル１０のフランジ１３の上面との間には隙間４０が設けられている。本実施の形態では、フィラーホース２０の先端に先端凸状部２７が形成されている。このため、フィラーホース２０を筒状部１１に挿入すると、先端凸状部２７がフランジ１３の上面に当接して、挿入が止まり、フィラーホース２０の先端面と、ニップル１０のフランジ１３の上面との間に隙間４０を形成することができる。
これによって、フィラーホース２０の先端凹部２４により形成された空間と、フィラーホース２０の先端の端面とフランジ１３の間の隙間４０と直接連通させることができる。
【００３９】
このようにして、ホースクランプ３０の締結部分より先端側のフィラーホース２０の内面とニップル１０の筒状部１１の外面との間に空間を設けることにより、フィラーホース２０内面と筒状部の外面との間の空間に空気を流通させることができる。このため、燃料タンク１から発生したガソリン等の蒸気が、ニップル１０の筒状部１１を透過した場合でも、その空間から隙間４０を経由して外部に放出される。したがって、透過したガソリンの蒸気等が筒状部１１とフィラーホース２０の間で溜まることがなく、フィラーホース２０から可塑剤や配合剤を抽出することがない。
そのため、筒状部１１を透過したガソリンの蒸気等による抽出物がフランジ１３の表面に流出することがなく、フランジ１３や燃料タンク１の表面を汚染することがない。
【００４０】
次に、図２に基づき、第２の実施の形態について説明する。第２の実施の形態は、第１の実施の形態と比べて、ニップル１０の筒状部１１の外面形状と、フィラーホース２０の先端部の内面形状が異なり、他の部分は同様であるため、異なる部分を説明し、他の部分は説明を省略する。
フィラーホース２０の内面は、第１の実施の形態と比べて、凹部が設けられていなく、他の部分と同じ肉厚であり、筒状部１１に密着している。フィラーホース２０の先端に先端凸状部が形成されていなく、先端面はフラットな同一平面状をなしている。
【００４１】
ニップル１０は、筒状部１１の外面において、フランジ１３との接続部分付近からホースクランプ３０の締結部分付近まで長手方向に伸びる複数の凹溝１４が並んで形成されている。
このため、フィラーホース２０を筒状部１１に挿入した場合は、この凹溝１４においてフィラーホース２０と筒状部１１の間に空間が形成される。この凹溝１４はフランジ１３との接続部分付近まで形成されているので、この空間はフィラーホース２０の先端とフランジ１３の間の隙間４０を経由して外部と連通している。
【００４２】
さらに、フランジ１３において、筒状部１１と連続するコーナー部分の上面に部分的に複数の凸部１５を円周状に形成する。このため、フィラーホース２０を筒状部１１に挿入したときに、フィラーホース２０の先端面は、この凸部１５に当接して、フランジ１３との間に隙間４０を形成する。この隙間４０が、上記のとおり、凹溝１４により形成される空間と連通する。
【００４３】
このため、第１の実施の形態と同様に、燃料タンク１から発生したガソリン等の蒸気が、ニップル１０の筒状部１１を透過した場合でも、その凹溝１４により形成された空間からフィラーホース２０の先端の隙間４０を経由して外部に放出される。したがって、透過したガソリンの蒸気等が筒状部１１とフィラーホース２０の間で溜まることがなく、フィラーホース２０から可塑剤や配合剤を抽出することがない。したがって、フランジ１３や燃料タンク１の表面を汚染することがない。
なお、ニップル１０の凹溝１４と凸部１５は、いずれもニップル１０を射出成形等で成形するときに同時に形成することができ、成形が容易であり、手間がかからない。
【００４４】
次に、図３に基づき、第３の実施の形態について説明する。第３の実施の形態は、第１の実施の形態と比べて、フィラーホース２０の先端部の形状が異なり、他の部分は同様であるため、異なる部分を説明し、他の部分は説明を省略する。
フィラーホース２０の先端において、フィラーホース２０の内面が外周先端から内周面方向に斜面状に切り欠かれて形成されている。この斜面により、フィラーホース２０の内面と筒状部１１の外面の間に空間が形成される。この斜面は、ホースの先端からクランプ用リブが形成されている部分の内面付近まで形成されることが好ましい。
【００４５】
フィラーホース２０の先端は複数の凹部２４が形成されている。この凹部２４がフィラーホース２０の先端とフランジ１３との間の隙間４０を形成することができる。
この凹部２４を経由して上記空間が外部と連通することができる。
このため、第１の実施の形態と同様に、燃料タンク１から発生したガソリン等の蒸気が、ニップル１０の筒状部１１を透過した場合でも、斜面により形成された空間から凹部２４により形成された隙間４０を経由して外部に放出される。したがって、透過したガソリンの蒸気等が筒状部１１とフィラーホース２０の間で溜まることがなく、フィラーホース２０から可塑剤や配合剤を抽出することがない。したがって、フランジ１３や燃料タンク１の表面を汚染することがない。
なお、フィラーホース２０の先端の内面に形成された斜面状に切り欠きと、先端に形成された凹部２４は、フィラーホース２０を型成形する場合は、成形時に同時に形成することができ、成形が容易であり、手間がかからない
フィラーホース２０を押出成形する場合は、ホースの先端内面をテーパー状に切り取り、先端の一部を半円状に切り取るのみで形成することができ、加工が容易である。
【００４６】
次に、図４に基づき、第４の実施の形態について説明する。第４の実施の形態は、第１の実施の形態と比べて、フィラーホース２０の先端部の形状が異なり、他の部分は同様であるため、異なる部分を説明し、他の部分は説明を省略する。
フィラーホース２０の先端において、フィラーホース２０の先端が全周に亘り切り欠かれているか、あるいは長手方向に部分的に複数の短冊状に外周先端から切り欠かれて形成されている。
【００４７】
フィラーホース２０の先端が全周に亘り切り欠かれている場合は、その切り欠かれた全周が、長手方向に短冊状に外周先端から切り欠かれている場合は、その短冊状の切欠部５４ｂ部分が、フィラーホース２０と筒状部１１の間の空間と、フィラーホース２０の先端とフランジ１３との間の隙間４０の両方を形成することができる。
このため、第１の実施の形態と同様に、燃料タンク１から発生したガソリン等の蒸気が、ニップル１０の筒状部１１を透過した場合でも、この切りかかれた部分からガソリン等の蒸気が、外部に放出される。したがって、透過したガソリンの蒸気等が筒状部１１とフィラーホース２０の間で溜まることがなく、フィラーホース２０から可塑剤や配合剤を抽出することがない。したがって、フランジ１３や燃料タンク１の表面を汚染することがない。
【００４８】
次に、ニップル１０とフィラーホース２０を形成する材料について説明する。
ニップル１０を形成する材料は、合成樹脂製の燃料タンク１との溶着または接着性と耐燃料油性、強度等を考慮して選択される。さらに、ニップル１０は、ホースクランプ３０で締め付けられるときに、変形しないように強度の大きい硬質合成樹脂が使用される。たとえば、燃料タンク１が高密度ポリエチレンで形成されている場合は、ニップル１０は、高密度ポリエチレン、ポリプロピレン、エチレンビニルアルコール、ポリアセタール、ポリアミド等の熱可塑性合成樹脂を使用することができる。
フィラーホース２０を形成する材料は、耐燃料油性、柔軟性等を考慮して合成ゴム、熱可塑性エラストマー、軟質合成樹脂から選択される。例えば、合成ゴムではＮＢＲ等を使用することができ、熱可塑性エラストマーと軟質合成樹脂の場合には表面にフッ素ゴムの薄膜を設けてもよい。
【図面の簡単な説明】
【００４９】
【図１】本発明の第１の実施の形態を示す、フィラーホースとニップルの締結部の断面図である。
【図２】本発明の第２の実施の形態を示す、フィラーホースとニップルの締結部の断面図である。
【図３】本発明の第３の実施の形態を示す、フィラーホースとニップルの締結部の断面図である。
【図４】本発明の第４の実施の形態を示す、フィラーホースとニップルの締結部の断面図である。
【図５】従来のフィラーホースとニップルの締結部の断面図である。
【符号の説明】
【００５０】
１  燃料タンク
１０  ニップル
１１  筒状部
１３  フランジ
１４  凹溝部
１５  凸部
２０  フィラーホース（ホース）
２２、２３  クランプ用リブ
２４  先端凹部
３０  ホースクランプ
【図１】
2006234133.tif 000003
【図２】
2006234133.tif 000004
【図３】
2006234133.tif 000005
【図４】
2006234133.tif 000006
【図５】
2006234133.tif 000007